(57)【要約】【課題】組立工数を削減して製造コストの低コスト化を図るとともに、外観のデザイン性の向上を図る仕組みを提供する。【解決手段】上側カバー１０８は、突き当て部１２６ａに沿って複数の係合部１１９が配置されるとともに、係合部１１９の内側に内側リブ１２１が配置され、かつ互いに隣り合う係合部１１９の間に掛止部１２０が配置される。内側リブ１２１は、係合部１１９の内側に所定の距離をあけて配置されて、突き当て部１２６ａより下方の突出して設けられるとともに、掛止部１２０の両側に設けられる連結リブ１２２によって係合部１１９に連結される。右側カバー１０９は、突き当て部１２６ｂに沿って複数の被係合部１２４が係合部１１９に対応して配置されるとともに、互いに隣り合う被係合部１２４の間に被掛止部１２５が掛止部１２０に対応して配置される。被係合部１２４は、係合部１１９に係合可能とされ、被掛止部１２５は、掛止部１２０に掛止可能とされている。【選択図】図１０
2014123038.tif 000002
【特許請求の範囲】
【請求項１】
第１の外装カバーと、
前記第１の外装カバーに突き当てられた状態で前記第１の外装カバーに接続される第２の外装カバーと、を備え、
前記第１の外装カバーは、前記第２の外装カバーとの突き当て部に沿って複数の係合部が配置されるとともに、前記係合部の内側に内側リブが配置され、かつ互いに隣り合う前記係合部の間に掛止部が配置され、
前記係合部は、前記第２の外装カバーとの前記突き当て部の側の外装面の裏面に段差凹状に形成され、
前記掛止部は、前記第２の外装カバーとの前記突き当て部の内側で前記突き当て部より突き当て方向に突出して設けられ、
前記内側リブは、前記係合部の内側に間隔をあけて配置されて、前記第２の外装カバーとの前記突き当て部より突き当て方向に突出して設けられるとともに、前記掛止部の両側に設けられる連結リブによって前記係合部に連結され、
前記第２の外装カバーは、前記第１の外装カバーとの突き当て部に沿って複数の被係合部が前記第１の外装カバーの前記係合部に対応して配置されるとともに、互いに隣り合う前記被係合部の間に被掛止部が前記第１の外装カバーの前記掛止部に対応して配置され、  前記被係合部は、前記第１の外装カバーとの突き当て部より内側で突き当て方向に突出して設けられて、前記第１の外装カバーの前記係合部に係合可能とされ、
前記被掛止部は、外装面の裏面側で前記第１の外装カバーの前記掛止部に対向して設けられて、前記掛止部に掛止可能とされていることを特徴とする電子機器。
【請求項２】
前記掛止部及び前記被掛止部は、前記掛止部に前記被掛止部が掛止された状態で、斜面で当接する斜面形状部をそれぞれ有することを特徴とする請求項１に記載の電子機器。
【請求項３】
前記被係合部の突出長さは、前記係合部と前記内側リブとの間の距離より短いことを特徴とする請求項１又は２に記載の電子機器。
【請求項４】
前記第２の外装カバーには、グリップベルトが取り付けられることを特徴とする請求項１乃至３のいずれか一項に記載の電子機器。
【発明の詳細な説明】
【技術分野】
【０００１】
本発明は、例えばデジタルカメラやデジタルビデオカメラ等の撮像装置を含む電子機器の外装カバーの接続構造に関する。
【背景技術】
【０００２】
デジタルカメラやデジタルビデオカメラ等の撮像装置の外装カバーの接続構造としては、例えば図１６に示すものがある。図１６に示すデジタルビデオカメラは、内部構造体であるメインユニット２０１が、前側カバーユニット２０２、上側カバーユニット２０３、左側カバーユニット２０４、及び右側カバーユニット２０５により覆われる。
【０００３】
メインユニット２０１に対して各カバーユニット２０２〜２０５を組み付けるには、図１６（ａ）を参照して、まず、メインユニット２０１に対して左側カバーユニット２０４を左側から図の矢印Ａ方向に組み付ける。次に、メインユニット２０１に対して前側カバーユニット２０２を前側から図の矢印Ｂ方向に組み付けた後、上側カバーユニット２０３を上側から図の矢印Ｃ方向に組み付ける。
【０００４】
かかる組み付けの際には、ＦＰＣ等を用いて各カバーユニット２０２〜２０４に設けられた電気部品とメインユニット２０１との電気的接続や各カバーユニット２０２〜２０４を接続するためのビス止めも併せて行う。
【０００５】
そして、最後に図１６（ｂ）に示すように、メインユニット２０１に対して右側カバーユニット２０５を右側から図の矢印Ｄ方向に組み付け、複数のビス２０６を用いて右側カバーユニット２０５をメインユニット２０１に固定する。
【０００６】
なお、右側カバーユニット２０５は、ユーザがカメラを把持するためのグリップベルト２０７を有しているため、比較的強度が必要となるが、複数のビス２０６を用いて右側カバーユニット２０５を固定することで、必要な強度を確保することができる。
【０００７】
各カバーユニット２０２〜２０５を組み付けた状態では、それぞれの接続部において、カバー同士が互いにオーバーラップする構造（特許文献１）が採用されており、カバー間に隙間が生じた場合でも内部が見えないようになっている。
【先行技術文献】
【特許文献】
【０００８】
【特許文献１】特開平８−１５７７１号公報
【発明の概要】
【発明が解決しようとする課題】
【０００９】
しかし、上記従来技術では、各カバーユニット２０２〜２０５を固定するためのビスが多いため、組立工数が多くなってしまう。また、最後に組み付ける右側カバーユニット２０５を固定するための複数のビス２０６は、他のカバーユニット２０２〜２０４で覆うことができないため、カメラ外観に複数のビス２０６の頭部が露出し、外観のデザイン性を低下させる原因になる。
【００１０】
そこで、本発明は、組立工数を削減して製造コストの低コスト化を図るとともに、外観のデザイン性の向上を図る仕組みを提供することを目的とする。
【課題を解決するための手段】
【００１１】
上記目的を達成するために、本発明の電子機器は、第１の外装カバーと、前記第１の外装カバーに突き当てられた状態で前記第１の外装カバーに接続される第２の外装カバーと、を備え、前記第１の外装カバーは、前記第２の外装カバーとの突き当て部に沿って複数の係合部が配置されるとともに、前記係合部の内側に内側リブが配置され、かつ互いに隣り合う前記係合部の間に掛止部が配置され、前記係合部は、前記第２の外装カバーとの前記突き当て部の側の外装面の裏面に段差凹状に形成され、前記掛止部は、前記第２の外装カバーとの前記突き当て部の内側で前記突き当て部より突き当て方向に突出して設けられ、前記内側リブは、前記係合部の内側に間隔をあけて配置されて、前記第２の外装カバーとの前記突き当て部より突き当て方向に突出して設けられるとともに、前記掛止部の両側に設けられる連結リブによって前記係合部に連結され、前記第２の外装カバーは、前記第１の外装カバーとの突き当て部に沿って複数の被係合部が前記第１の外装カバーの前記係合部に対応して配置されるとともに、互いに隣り合う前記被係合部の間に被掛止部が前記第１の外装カバーの前記掛止部に対応して配置され、前記被係合部は、前記第１の外装カバーとの突き当て部より内側で突き当て方向に突出して設けられて、前記第１の外装カバーの前記係合部に係合可能とされ、前記被掛止部は、外装面の裏面側で前記第１の外装カバーの前記掛止部に対向して設けられて、前記掛止部に掛止可能とされていることを特徴とする。
【発明の効果】
【００１２】
本発明によれば、組立工数を削減して製造コストの低コスト化を図ることができるとともに、外観のデザイン性の向上を図ることができる。
【図面の簡単な説明】
【００１３】
【図１】（ａ）は本発明の電子機器の実施形態の一例であるデジタルビデオカメラを前側から見た斜視図である。（ｂ）は（ａ）の後側から見た斜視図である。
【図２】デジタルビデオカメラの分解斜視図である。
【図３】（ａ）はメインユニットに対して左側カバーユニット、前側カバーユニット、及び上側カバーユニットを組み付ける方法を説明するための斜視図である。（ｂ）は右側カバーユニットを組み付ける方法を説明するための斜視図である。
【図４】（ａ）は上側カバーユニットの上側カバーの側面図である。（ｂ）は上側カバーを下側から見た斜視図である。
【図５】上側カバーを裏面側から見た図である。
【図６】（ａ）は図４（ａ）のＡ−Ａ線断面図である。（ｂ）は図４（ａ）のＢ−Ｂ線断面図である。
【図７】（ａ）は右側カバーユニットの右側カバーの側面図、（ｂ）は（ａ）に示す右側カバーを裏面側から見た図である。
【図８】（ａ）は図７（ａ）のＡ−Ａ線断面図である。（ｂ）は図７（ａ）のＢ−Ｂ線断面図である。
【図９】上側カバーユニットの上側カバーに右側カバーユニットの右側カバーを組み付けた状態を示す側面図である。
【図１０】（ａ）は図９のＡ−Ａ線断面図である。（ｂ）は図９のＢ−Ｂ線断面図である。
【図１１】図９の部分拡大図である。
【図１２】上側カバーへの右側カバーの組み付け方法を説明するための係合部と被係合部の位置における断面図である。
【図１３】上側カバーへの右側カバーの組み付け方法を説明するための掛止部と掛止爪の位置における断面図である。
【図１４】上側カバーに右側カバーを組み付ける様子をカメラの後側から見た図である。
【図１５】上側カバーに右側カバーを組み付けた後の状態をカメラの下側から見た図である。
【図１６】従来の電子機器におけるカバーユニットの組み付け方法を説明するための斜視図である。
【発明を実施するための形態】
【００１４】
以下、本発明の実施形態の一例を図面を参照して説明する。
【００１５】
図１（ａ）は、本発明の電子機器の実施形態の一例であるデジタルビデオカメラを前側から見た斜視図である。図１（ｂ）は、図１（ａ）の後側から見た斜視図である。図２は、デジタルビデオカメラの分解斜視図である。なお、本実施形態では、撮影者から見て上下左右とし、被写体側を前側とする。また、本実施形態は、電子機器として、撮像装置の一例としてのデジタルビデオカメラを例示するが、これに限定されない。
【００１６】
図１及び図２に示すように、本実施形態のデジタルビデオカメラ１００は、内部構造体としてのメインユニット１０１が、前側カバーユニット１０２、上側カバーユニット１０３、左側カバーユニット１０４、及び右側カバーユニット１０５により覆われる。
【００１７】
メインユニット１０１は、撮像光学系（不図示）、撮像素子（不図示）、メイン基板などから構成される。メイン基板は、カメラ１００全体の制御や各種処理を行う。
【００１８】
前側カバーユニット１０２は、前側カバー１０７を有する。前側カバー１０７には、マイク１１３が設けられている。また、前側カバー１０７には、メインユニット１０１の撮影光学系を露出させる開口部が設けられている。
【００１９】
上側カバーユニット１０３は、上側カバー１０８を有する。上側カバー１０８は、カメラ１００の上側外装面を形成するとともに、後側外装面の一部および右側外装面の一部も併せて形成する。上側カバー１０８の上側外装面には、ズームレバー１１４が設けられている。上側カバー１０８の後側外装面には、トリガーキー１１５及びＬＥＤ発光部１１６が設けられている。ここで、上側カバー１０８は、本発明の第１の外装カバーの一例に相当する。
【００２０】
左側カバーユニット１０４は、左側カバー１０６、及び表示ユニット１１０を有する。表示ユニット１１０は、ＬＣＤ等により構成され、左側カバー１０６に対して不図示のヒンジ機構を介して開閉可能に支持される。左側カバー１０６は、カメラ１００の左側外装面、後側外装面、及び下側外装面の一部を形成する。左側カバー１０６の左側外装面には、カードスロット１１１、及び操作キー１１２が設けられる。左側カバー１０６の後側外装面には、バッテリー室１１７が設けられる。
【００２１】
右側カバーユニット１０５は、右側カバー１０９を有する。右側カバー１０９には、撮影者がカメラ１００を把持するためのグリップベルト１１８が取り付けられている。右側カバー１０９は、カメラ１００の右側外装面を形成するとともに、後側外装面の一部、及び下側外装面の一部も併せて形成する。ここで、右側カバー１０９は、本発明の第２の外装カバーの一例に相当する。
【００２２】
図３（ａ）は、メインユニット１０１に対して、左側カバーユニット１０４、前側カバーユニット１０２、及び上側カバーユニット１０３を組み付ける方法を説明するための斜視図である。図３（ｂ）は、右側カバーユニット１０５を組み付ける方法を説明するための斜視図である。
【００２３】
まず、図３（ａ）を参照して、メインユニット１０１に対して、左側カバーユニット１０４を左側から図の矢印Ａ方向に組み付け、その後、前側カバーユニット１０２を前側から図の矢印Ｂ方向に組み付ける。次に、メインユニット１０１に対して、上側カバーユニット１０３を上側から図の矢印Ｃ方向に組み付ける。
【００２４】
かかる組み付けの際には、ＦＰＣ等を用いて各カバーユニット１０２〜１０４に設けられた電気部品とメインユニット１０１との電気的接続や各カバーユニット１０２〜１０４を接続するためのビス止めも併せて行う。
【００２５】
そして、最後に図３（ｂ）に示すように、右側カバーユニット１０５を図の矢印Ｄ方向に回転させながら上側カバーユニット１０３の上側カバー１０８に組み込んだ後にビス止めによりメインユニット１０１に固定する。なお、右側カバーユニット１０５の組み付け方法についての詳細は後述する。
【００２６】
図４（ａ）は、上側カバーユニット１０３の上側カバー１０８の側面図である。図４（ｂ）は、上側カバー１０８を下側から見た斜視図である。図５は、上側カバー１０８を裏面側から見た図である。図６（ａ）は、図４（ａ）のＡ−Ａ線断面図である。図６（ｂ）は、図４（ａ）のＢ−Ｂ線断面図である。
【００２７】
図４及び図５に示すように、上側カバーユニット１０３の上側カバー１０８は、右側カバーユニット１０５の右側カバー１０９との接続部１０８ａに、係合部１１９、掛止部１２０、内側リブ１２１、連結リブ１２２、及び突き当て部１２６ａを有する。
【００２８】
突き当て部１２６ａは、右側カバー１０９の接続部１０９ａの突き当て部１２６ｂ（図７参照）に突き当てられる。この突き当て部１２６ａに沿って複数の係合部１１９が配置され、互いに隣り合う係合部１１９の間に掛止部１２０が配置される。
【００２９】
係合部１１９は、図６（ｂ）に示すように、接続部１０８ａの突き当て部１２６ａの側の外装面の裏面に段差凹状に形成されている。掛止部１２０は、図６（ａ）に示すように、突き当て部１２６ａの内側で突き当て部１２６ａより突き当て方向（下方）に突出して設けられ、中央部に矩形状の掛止穴１２３が形成されている。掛止穴１２３の外装側の下辺部には、面取りによる斜面形状部１２３ａが設けられている。
【００３０】
内側リブ１２１は、図６（ｂ）に示すように、係合部１１９の内側に所定の間隔Ｘをあけて配置され、突き当て部１２６ａより所定の距離Ｙだけ下方に突出して設けられる。連結リブ１２２は、掛止部１２０の両側に配置されて、係合部１１９と内側リブ１２１とを連結する。このように、連結リブ１２２によって、係合部１１９と内側リブ１２１と連結することで、上側カバー１０８の接続部１０８ａの強度を向上させている。
【００３１】
図７（ａ）は、右側カバーユニット１０５の右側カバー１０９の側面図である。図７（ｂ）は、図７（ａ）に示す右側カバー１０９を裏面側から見た図である。図８（ａ）は、図７（ａ）のＡ−Ａ線断面図である。図８（ｂ）は、図７（ａ）のＢ−Ｂ線断面図である。
【００３２】
図７に示すように、右側カバーユニット１０５の右側カバー１０９は、上側カバーユニット１０３の上側カバー１０８との接続部１０９ａに、被係合部１２４、掛止爪１２５、及び突き当て部１２６ｂを有する。ここで、掛止爪１２５は、本発明の被掛止部の一例に相当する。
【００３３】
突き当て部１２６ｂは、上側カバー１０８の接続部１０８ａの突き当て部１２６ａに突き当てられる。この突き当て部１２６ｂに沿って複数の被係合部１２４が上側カバー１０８の係合部１１９に対応して配置され、互いに隣り合う被係合部１２４の間に掛止爪１２５が上側カバー１０８の掛止部１２０の掛止穴１２３に対応して配置される。
【００３４】
被係合部１２４は、図８（ｂ）に示すように、突き当て部１２６ｂより内側で所定の距離Ｚだけ突き当て方向（上方）に突出して設けられ、上側カバー１０８の係合部１１９に係合可能とされている。
【００３５】
掛止爪１２５は、図８（ａ）に示すように、接続部１０９ａの外装面の裏面側で上側カバー１０８の掛止部１２０に形成された掛止穴１２３に対向して設けられ、掛止穴１２３に掛止可能とされている。また、掛止爪１２５には、掛止爪１２５が掛止穴１２３に掛止された際に、掛止穴１２３の斜面形状部１２３ａに当接する斜面形状部１２５ａが形成されている。
【００３６】
図９は、上側カバーユニット１０３の上側カバー１０８に右側カバーユニット１０５の右側カバー１０９を組み付けた状態を示す側面図である。図１０（ａ）は、図９のＡ−Ａ線断面図である。図１０（ｂ）は、図９のＢ−Ｂ線断面図である。図１１は、図９の部分拡大図である。
【００３７】
図９に示すように、上側カバーユニット１０３の上側カバー１０８に右側カバーユニット１０５の右側カバー１０９を組み付けた状態では、上側カバー１０８の掛止部１２０と右側カバー１０９の被係合部１２４とが交互に配置される。
【００３８】
このとき、上側カバー１０８の突き当て部１２６ａに右側カバー１０９の突き当て部１２６ｂが当接した状態で、掛止部１２０の掛止穴１２３に掛止爪１２５が掛止される（図１０（ａ））とともに、係合部１１９に被係合部１２４が係合する（図１０（ｂ））。また、図１０（ａ）に示すように、掛止穴１２３の斜面形状部１２３ａに掛止爪１２５の斜面形状部１２５ａが当接する。
【００３９】
このように、斜面形状部１２３ａに斜面形状部１２５ａが当接し、突き当て部１２６ａに突き当て部１２６ｂが当接することで、右側カバー１０９と上側カバー１０８の上下方向の位置が規制される。
【００４０】
また、右側カバー１０９は、上側カバー１０８の係合部１１９と掛止部１２０との間に左右方向に挟まれた状態となるため、右側カバー１０９と上側カバー１０８の左右方向の位置が規制される。
【００４１】
これにより、上側カバー１０８に対する右側カバー１０９の上下左右方向の位置を規制することが可能となり、グリップベルト１１８が取り付けられる右側カバー１０９の強度が向上するとともに、固定用のビスを削減することが可能となる。
【００４２】
また、図１１に示すように、互いに隣り合う各被係合部１２４の間の寸法Ｗ１を、各被係合部１２４の間に挟まれる掛止部１２０の幅寸法ｗ１より大きくしている。更に、互いに隣り合う各掛止部１２０の間の寸法Ｗ２を各掛止部１２０の間に挟まれる被係合部１２４の幅寸法ｗ２より大きくしている。また、本実施形態では、係合部１１９の内側に内側リブ１２１が突き当て部１２６ａより所定の距離Ｙだけ下方に突出して設けられている。
【００４３】
これにより、量産時の部品寸法の誤差を吸収できるため、上側カバー１０８に右側カバー１０９を容易に組み付けることができる上に、掛止部１２０と被係合部１２４との間の隙間１２７から内部の構造が見えることはない。
【００４４】
また、Ｗ１とｗ１との寸法差、及びＷ２とｗ２との寸法差は、微小な量であるため、各被係合部１２４の間に掛止部１２０が挟まれるとともに、各掛止部１２０の間に被係合部１２４が挟まれることで、右側カバー１０９の前後方向の位置が規制される。
【００４５】
図１２は、上側カバー１０８への右側カバー１０９の組み付け方法を説明するための係合部１１９と被係合部１２４の位置における断面図である。図１３は、上側カバー１０８への右側カバー１０９の組み付け方法を説明するための掛止部１２０と掛止爪１２５の位置における断面図である。図１４は、上側カバー１０８に右側カバー１０９を組み付ける様子をカメラ１００の後側から見た図である。図１５は、上側カバー１０８に右側カバー１０９を組み付けた後の状態をカメラ１００の下側から見た図である。
【００４６】
図１２に示すように、右側カバー１０９の被係合部１２４を上側カバー１０８の係合部１１９と内側リブ１２１との間の空間に斜め下方向から矢印Ｅ方向に挿入した後、右側カバー１０９を矢印Ｄ方向に倒し込むように回転させて組み込む。
【００４７】
これにより、突き当て部１２６ａに突き当て部１２６ｂが当接した状態で、被係合部１２４が係合部１１９に係合するとともに、掛止部１２０の掛止穴１２３に掛止爪１２５が掛止され、斜面形状部１２３ａと斜面形状部１２５ａとが当接する（図１３（ｃ））。
【００４８】
このとき、右側カバー１０９の被係合部１２４の突出長さＺは、上側カバー１０８の係合部１１９と内側リブ１２１との間の距離Ｘより短くなっている。また、右側カバー１０９の組み込みの際には、図１３（ａ）及び図１３（ｂ）に示すように、掛止穴１２３の斜面形状部１２３ａと掛止爪１２５の斜面形状部１２５ａとが干渉せず、組み込み完了後、斜面形状部１２３ａと斜面形状部１２５ａとが当接する。これにより、上側カバー１０８への右側カバー１０９のスムースな組み込みを可能としている。
【００４９】
右側カバー１０９を上側カバー１０８に組み込んだ後、図１４及び図１５に示すように、右側カバー１０９の下面部をビス１２８を用いてメインユニット１０１に固定する。かかる固定状態においては、カメラ１００の下側は、右側カバー１０９の下側外装面と左側カバー１０６の下側外装面により覆われた状態となる。
【００５０】
以上説明したように、本実施形態では、各カバーユニット１０２〜１０５を固定するためのビスを減らして組立工数を削減することができるので、製造コストの低コスト化を図ることができる。
【００５１】
また、本実施形態では、最後に組み付ける右側カバーユニット１０５を固定するためのビス１２８の数を削減することができるとともに、右側カバーユニット１０５をカメラ１００の下面部でビス１２８により固定する。このため、カメラ１００の外観のデザイン性を向上させることができる。
【００５２】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５３】
１００  デジタルビデオカメラ
１０８  上側カバー
１０９  右側カバー
１１９  係合部
１２０  掛止部
１２１  内側リブ
１２２  連結リブ
１２３  掛止穴
１２４  被係合部
１２５  掛止爪
１２６ａ，１２６ｂ  突き当て部
【図１】
2014123038.tif 000003
【図２】
2014123038.tif 000004
【図３】
2014123038.tif 000005
【図４】
2014123038.tif 000006
【図５】
2014123038.tif 000007
【図６】
2014123038.tif 000008
【図７】
2014123038.tif 000009
【図８】
2014123038.tif 000010
【図９】
2014123038.tif 000011
【図１０】
2014123038.tif 000012
【図１１】
2014123038.tif 000013
【図１２】
2014123038.tif 000014
【図１３】
2014123038.tif 000015
【図１４】
2014123038.tif 000016
【図１５】
2014123038.tif 000017
【図１６】
2014123038.tif 000018